(57)【要約】  基地局データの制御方法が開示されている。本発明では、基地局管理サーバーが基地局管理データ及び交換機へのアクセス権限データを生成及び保存する。基地局管理サーバーは通信ネットワークを介して基地局管理サーバーにアクセスした移動端末機から所定の基地局管理データに対する伝送要求を受信する。基地局管理サーバーが基地局管理データに対する伝送要求に応答して上記基地局管理データを移動端末機に伝送する。従って、本発明によれば、作業者又は管理者が、基地局管理データの照会及び／又は変更のために、基地局又は移動交換局を管理する基地局管理サーバーの位置場所に移動する必要がなくなるため、便利性が大幅向上する。
2005510986.tif 000002
【特許請求の範囲】
【請求項１】
（ａ）基地局管理サーバーが基地局管理データ及び交換機へのアクセス権限データを生成及び保存する段階；
（ｂ）通信ネットワークを介して上記基地局管理サーバーにアクセスした移動端末機から所定の基地局管理データに対する伝送要求を受信する段階；及び、
（ｃ）上記基地局管理サーバーが上記基地局管理データに対する伝送要求に応答して上記基地局管理データを上記移動端末機に伝送する段階；を含むことを特徴とする基地局データの制御方法。
【請求項２】
上記基地局管理データは、基地局管理統計データ又は呼詳細レコードに基づいて生成されることを特徴とする請求項１に記載の基地局データの制御方法。
【請求項３】
上記交換機へのアクセス権限データは、上記移動端末機の権限等級に応じて差等を設けて付与される交換機制御権限であり、上記交換機へのアクセス権限データは、上記移動端末機の交換機へのアクセス権限を規定することを特徴とする請求項１又は２に記載の基地局データの制御方法。
【請求項４】
上記段階（ｂ）は、
（ｂ−１）無線インターネットサービスメニューを上記移動端末機に伝送する段階；
（ｂ−２）上記移動端末機によって上記無線インターネットサービスメニューのうち“ゼロコール”及び“基地局でサーチ”の項目を含む無線管理システムメニューを要請し、上記要請に対応する無線管理システムメニューを上記移動端末機に伝送する段階；
（ｂ−３）上記無線管理システムメニューのうち“基地局でサーチ”の項目が移動端末機によって選択された場合、上記“基地局でサーチ”の項目に対応する少なくとも一つの基地局リストを上記移動端末機に伝送する段階；
（ｂ−４）上記移動端末機によって上記基地局リストのうち一つが選択された場合、上記段階（ａ）の交換機へのアクセス権限データから上記移動端末機の権限等級を照会し、上記権限等級に沿った基地局管理メニューを上記移動端末機に提供する段階；及び、
（ｂ−５）上記基地局管理メニューのうち上記移動端末機によって選択された項目を受信する段階；を含み、
上記段階（ｃ）は、
上記選択された項目に応答して、上記段階（ａ）の基地局管理データから上記選択された項目に対応するデータを読み出し、上記移動端末機に提供する段階を含むことを特徴とする請求項１に記載の基地局データの制御方法。
【請求項５】
上記移動端末機の権限等級による基地局管理メニューは、照会だけが可能な項目、及び照会及びデータの変更が可能な項目を含むことを特徴とする請求項４に記載の基地局データの制御方法。
【請求項６】
上記段階（ｂ）は、
（ｂ−６）上記移動端末機によって“ゼロコール”の項目が選択された場合、少なくとも一つの時間単位項目を含む時間単位メニューを上記移動端末機に伝送する段階；及び、
（ｂ−７）上記移動端末機から選択された時間単位メニューの時間単位項目のうち一つを受信する段階；をさらに含み、
上記段階（ｃ）は、
受信された時間単位項目に応答して、上記基地局管理データから上記時間単位項目に対応するゼロコールデータを読み出し、上記移動端末機に提供する段階を含むことを特徴とする請求項４に記載の基地局データの制御方法。
【請求項７】
上記段階（ｂ−３）は、
（ｂ−３１）上記“基地局でサーチ”の項目は、“基地局名でサーチ”及び“交換機でサーチ”の項目を含み、上記移動端末機によって“基地局名でサーチ”が選択された場合、基地局名の入力が可能な所定のウェブページを上記移動端末機に伝送する段階；
（ｂ−３２）上記移動端末機から基地局名が入力されたウェブページを受信する段階；及び、
（ｂ−３３）上記ウェブページに入力された基地局名に対応する少なくとも一つの基地局リストを上記移動端末機に伝送する段階；を含むことを特徴とする請求項４に記載の基地局データの制御方法。
【請求項８】
上記段階（ｂ−３２）で上記ウェブページに入力される基地局名は、基地局名全体のうち一部であり、
上記段階（ｂ−３３）は、上記ウェブページに入力された基地局名の一部に対応する少なくとも一つの基地局リストを上記移動端末機に提供する段階を含むことを特徴とする請求項７に記載の基地局データの制御方法。
【請求項９】
上記段階（ｂ−３）は、
（ｂ−３４）上記移動端末機によって“交換機でサーチ”の項目が選択された場合、上記段階（ａ）の交換機へのアクセス権限データを基にして交換機リストを上記移動端末機に伝送する段階；
（ｂ−３５）上記交換機リストのうち、上記移動端末機によって選択された所定の交換機に属した基地局制御機リストを、上記移動端末機に伝送する段階；及び、
（ｂ−３６）上記基地局制御機リストのうち、上記移動端末機によって選択された所定の基地局制御機に属した基地局リストを、上記移動端末機に伝送する段階；をさらに含むことを特徴とする請求項７に記載の基地局データの制御方法。
【請求項１０】
上記段階（ｂ−５）は、
（ｂ−５−１１）上記基地局管理メニューのうち、上記移動端末機によって選択された項目が“通話品質”である場合、時間別項目が含まれた通話品質統計メニューを上記移動端末機に伝送する段階；及び、
（ｂ−５−１２）上記移動端末機によって選択された上記通話品質統計メニューの時間別項目のうち一つを受信する段階；を含み、
上記段階（ｃ）は、
受信された上記時間別項目に応答して上記基地局管理データから上記時間別項目に対応する通話品質データを読み出し、上記移動端末機に提供する段階を含むことを特徴とする請求項４に記載の基地局データの制御方法。
【請求項１１】
上記時間別項目に対応する通話品質統計メニューは、総合データ、上記時間別項目に対応する時間の間のセクター別データ、及び上記時間別項目に対応する時間の間の周波数割当別データを含み、上記総合データ、セクター別データ、及び周波数割当別データは、それぞれ通話の疎通確率、通話の切断確率、及び通話のトライ回数に対するデータを含むことを特徴とする請求項１０に記載の基地局データの制御方法。
【請求項１２】
上記段階（ｂ−５）で、上記基地局管理メニューのうち上記移動端末機によって選択された項目が“アラーム”である場合、段階（ｃ）は上記移動端末機によって選択された“アラーム”の項目に対応する基地局のアラーム情報を上記基地局管理データから読み出し、上記移動端末機に伝送することを特徴とする請求項４に記載の基地局データの制御方法。
【請求項１３】
上記段階（ｂ−５）は、
（ｂ−５−２１）上記基地局管理メニューのうち、上記移動端末機によって選択された項目が“ブロック／アンブロック”である場合、チャンネルカードのブロック、チャンネルカードのアンブロック、共通インターフェースプロセスのブロック、共通インターフェースプロセスのアンブロック、周波数割当のブロック、周波数割当のアンブロックの項目が含まれたブロック／アンブロックメニューを上記移動端末機に提供する段階；
（ｂ−５−２２）上記移動端末機によって上記ブロック／アンブロックメニューから選択された一つの項目に対応する情報を入力し得るウェブページを上記移動端末機に伝送する段階；及び、
（ｂ−５−２３）上記情報の入力されたウェブページを、上記移動端末機から受信する段階；を含み、
上記段階（ｃ）は、
上記受信された情報に応じて、チャンネルカード、共通インターフェースプロセス、及び周波数割当のうち一つをブロック又はアンブロックし、上記ブロック又はアンブロックによる結果を上記移動端末機に提供する段階を含むことを特徴とする請求項４に記載の基地局データの制御方法。
【請求項１４】
上記段階（ｂ−５−２２）で、上記移動端末機によって選択された項目が“チャンネルカードのブロック”又は“チャンネルカードのアンブロック”である場合、上記情報は、ブロック又はアンブロックしようとする共通インターフェースプロセスの番号及び上記共通インターフェースプロセスのチャンネルカードの番号であることを特徴とする請求項１３に記載の基地局データの制御方法。
【請求項１５】
上記段階（ｂ−５−２２）で、上記移動端末機によって選択された項目が“共通インターフェースプロセスのブロック”又は“共通インターフェースプロセスのアンブロック”である場合、上記情報は、ブロック又はアンブロックしようとする共通インターフェースプロセスの番号であることを特徴とする請求項１３に記載の基地局データの制御方法。
【請求項１６】
段階（ｂ−５−２２）で、上記移動端末機によって選択された項目が“周波数割当のブロック”、及び“周波数割当のアンブロック”のうち一つである場合、上記情報は、ブロック又はアンブロックしようとする周波数割当の番号であることを特徴とする請求項１３に記載の基地局データの制御方法。
【請求項１７】
上記段階（ｂ−５）は、
（ｂ−５−３１）上記移動端末機によって選択された項目が“パラメーター”である場合、所定の下部リストを含む上記“パラメーター”の項目を上記移動端末機に伝送する段階；
（ｂ−５−３２）上記移動端末機によって選択された上記所定の下部リストのうち一つに対応する“照会”又は“変更”の項目を選択するためのウェブページを上記移動端末機に伝送する段階；及び、
（ｂ−５−３３）上記移動端末機によって選択された項目が、“照会”又は“変更”の項目であるかを判断する段階；を含み、
上記段階（ｃ）は、
上記所定の下部リストのデータを照会又は変更し得るウェブページを、選択的に 上記移動端末機に伝送する段階を含むことを特徴とする請求項４に記載の基地局データの制御方法。
【請求項１８】
上記パラメーターメニューの下部項目は、基地局の出力データ及び隣接した基地局リストのうち、少なくとも一つを含むことを特徴とする請求項１７に記載の基地局データの制御方法。
【請求項１９】
上記段階（ｂ−５）は、
（ｂ−５−４１）上記移動端末機によって選択された項目が“中継器データ”である場合、“中継器状態の照会”及び“中継器テスト”の項目を含む“中継器データ”の項目を上記移動端末機に提供する段階；
（ｂ−５−４２）上記移動端末機によって選択された項目が“中継器状態の照会”及び“中継器テスト”のうち何れか一つであるかを判断する段階；を含み、
上記段階（ｃ）は、
上記中継器の状態を照会し得るウェブページ又は上記中継器をテストし得るウェブページを、選択的に上記移動端末機に伝送する段階を含むことを特徴とする請求項４に記載の基地局データの制御方法。
【発明の詳細な説明】
【発明の詳細な説明】
【０００１】
〔技術分野〕
本発明は、基地局データの制御方法に関し、より詳しくは、移動通信システムを利用し移動端末機によって基地局データを制御する方法に関する。
【０００２】
〔背景技術〕
一般に、様々な状況によって随時変化する基地局の通話品質を管理するためには、基地局ごとに設定されている色んなデータ値を分析して統計を出した値を随時に照会する必要がある。しかし、上記データ値の分析、統計及び照会は、基地局管理サーバーでのみ可能となっている。
【０００３】
従って、作業者又は管理者が、基地局の分析及び統計データを照会するためには、全国に散在している基地局又は移動交換機を管理する基地局管理サーバーの各位置場所に移動しなければならないという不都合があった。
【０００４】
〔発明の開示〕
本発明は上記のような問題点を解決するために案出されたものであり、本発明の目的は、移動端末機を利用して通話品質、アラーム、ブロック／アンブロック、パラメーター、中継器のデータなどの基地局データを制御する方法を提供することにある。
【０００５】
上記の目的を達成するための本発明による基地局データの制御方法は、（ａ）基地局管理サーバーが基地局管理データ及び交換機へのアクセス権限データを生成及び保存する段階；（ｂ）通信ネットワークを介して上記基地局管理サーバーにアクセスした移動端末機から所定の基地局管理データに対する伝送要求を受信する段階；及び、（ｃ）上記基地局管理サーバーが上記基地局管理データに対する伝送要求に応答して上記基地局管理データを上記移動端末機に伝送する段階；を含むことを特徴とする。
【０００６】
望ましくは、上記段階（ｂ）は、（ｂ−１）無線インターネットサービスメニューを上記移動端末機に伝送する段階；（ｂ−２）上記移動端末機によって上記無線インターネットサービスメニューのうち“ゼロコール”及び“基地局でサーチ”の項目を含む無線管理システムメニューを要請し、上記要請に対応する無線管理システムメニューを上記移動端末機に伝送する段階；（ｂ−３）上記無線管理システムメニューのうち“基地局でサーチ”の項目が移動端末機によって選択された場合、上記“基地局でサーチ”の項目に対応する少なくとも一つの基地局リストを上記移動端末機に伝送する段階；（ｂ−４）上記移動端末機によって上記基地局リストのうち一つが選択された場合、上記段階（ａ）の交換機へのアクセス権限データから上記移動端末機の権限等級を照会し、上記権限等級に沿った基地局管理メニューを上記移動端末機に提供する段階；及び、（ｂ−５）上記基地局管理メニューのうち上記移動端末機によって選択された項目を受信する段階；を含み、上記段階（ｃ）は、上記選択された項目に応答して、上記段階（ａ）の基地局管理データから上記選択された項目に対応するデータを読み出し、上記移動端末機に提供する段階を含む。
【０００７】
従って、本発明によれば、基地局データの照会及び変更のために、基地局管理サーバーの位置場所に移動する必要がなくなるため、作業上及び管理上の便利性が向上する。
【０００８】
〔発明を実施するための最良の形態〕
以下、本発明の望ましい実施例を添付図面を参照して詳しく説明する。
【０００９】
図１は、本発明の一実施例による方法が適用された基地局データ制御システムを示したブロック図である。
【００１０】
図１を参照すれば、本発明の適用された基地局データ制御システムは、移動端末機１００、移動通信システム１１０、ＷＡＰ（Wireless Application Protocol）サーバー１２０、通信ネットワーク１３０、プロクシーサーバー１４０、基地局管理サーバー１５０、及び上記基地局管理サーバーと連動するデータベース１６０を含んで構成される。
【００１１】
上記移動通信システム１１０は、図示されていない基地局、交換機、ホーム位置登録機、及びＳＭＳ(Short Message Service)センターを含んで構成される。上記基地局(base station)は、基地局送受信機(ＢＴＳ；base transceiver station)及び基地局制御機(ＢＳＣ；base station controller)を含む。
【００１２】
移動端末機１００には、携帯電話だけでなく、ＰＤＡ、ノートＰＣなどが含まれる。上記移動端末機１００は、ＷＡＰサーバー１２０と連結されている移動通信システム１１０を介してＷＡＰサーバーにアクセスすることができる。また、上記移動端末機１００は、移動通信システム１１０を介して携帯電話プロトコルのような広帯域プロトコルを使用してＷＡＰサーバー１２０との通信を行なう。
【００１３】
上記ＷＡＰサーバー１２０は、移動通信システム１１０及び通信ネットワーク１３０と連結されている。本発明による上記ＷＡＰサーバー１２０は、ネットワークのうち少なくとも一つが無線ネットワークである二つのネットワークを連結するゲートウェー（Gateway）を提供する。上記ＷＡＰサーバー１２０のゲートウェー機能とは、あるネットワークから他のネットワークへとアナログ又はデジタルパケットを伝送する時に必要なプロトコルを翻訳することをいう。
【００１４】
上記通信ネットワーク１３０は、プロクシーサーバー１４０及び基地局の管理サーバー１５０とも連結されている。上記プロクシーサーバー１４０は、メッセージの経路及びルートメッセージを移動端末機１００に伝送する。また、上記プロクシーサーバー１４０は上記通信ネットワーク１３０を介して上記移動端末機１００との通信を行なう。上記プロクシーサーバー１４０は、図１に示されたように、個別的に存在するか、或いは、他の応用として上記基地局管理サーバー１５０内に存在することもできる。
【００１５】
上記基地局管理サーバー１５０は、基地局管理データ及び交換機へのアクセス権限データを生成して、上記基地局管理サーバー１５０と連動するデータベース１６０に保存する。また、上記管理サーバー１５０は、基地局管理データ及び交換機へのアクセス権限データに基づき、多数の対話式ウェブページ（interactive web page、以下「ウェブページ」という）を生成する。他の応用例として、上記生成ページはＷＡＰページの場合もあるが、これに限定されるものではない。上記ウェブページとは、移動端末機と管理サーバーとの間の直接的な通信を可能にする手段である。上記ウェブページは、通信ネットワーク１３０及び移動通信システム１１０を介し移動端末機１００の要求に応じて、管理サーバー１５０から移動端末機１００に伝送され、上記ウェブページを受信した移動端末機１００は上記ウェブページ上のリストのうち一つを選択するか、所定の文字又は数字などのテキストを入力し、上記管理サーバー１５０へ回送する。
【００１６】
上記基地局管理データは、基地局管理サーバー１５０により生成された基地局管理（ＢＳＭ；base station management）統計データ及び移動通信システム１１０の交換機により生成された呼詳細レコード（ＣＤＲ；call detail record）のうち少なくとも一つに基づき、上記基地局管理サーバー１５０で生成される。図２３には、本発明に用いられる基地局管理統計データの一例が示されている。図２４には、本発明に用いられる呼詳細レコードの一例が示されている。図２４を参照すれば、上記呼詳細レコード（ＣＤＲ）は、加入者による一つの通話の開始から終了までの間に発生するあらゆるデータを含み、通話を終了すれば、一つのラインのデータ２４が発生する。図２４の呼詳細レコードは交換機別に分類されたもので、上記交換機別に分類された呼詳細レコードは、交換機管轄下の基地局制御機別に分類される。また、上記基地局制御機別に分類された呼詳細レコードは上記基地局制御機に属する基地局送受信機別に分類され、各基地局送受信機別に分類された呼詳細レコードは、呼最終コード（ＣＦＣ；call final code）別に分類される。
【００１７】
上記交換機へのアクセス権限データは、各移動端末機の権限等級に応じて差等を設けて付与される交換機制御権限であり、上記交換機へのアクセス権限データは、交換機へのアクセスを希望する上記各移動端末機の交換機へのアクセス権限を規定する。図２５には、本発明に用いられる交換機へのアクセス権限データの一例が示されている。図２５を参照すれば、金甲東の移動端末機（０１１−８８８−ｘｘｘｘ）は第１等級であるため、交換機Ｍ１及びＭ２を照会及び修正し得る権限を持つ。しかし、金東乙の移動端末機（０１１−８８８−０ｘｘｘ）は第２等級であるため、交換機Ｍ１及びＭ２の照会だけが可能である。
【００１８】
図２乃至図６は、望ましい実施例による基地局データの制御方法を説明するためのフローチャートで、図７乃至図２１は、図２乃至図６に示された基地局データの制御方法を説明するための図である。
【００１９】
図２を参照すれば、段階Ｓ２００で基地局管理サーバー１５０は、基地局管理データ及び交換機へのアクセス権限データを生成し、上記基地局管理サーバー１５０と連動するデータベース１６０に保存する。
【００２０】
段階Ｓ２０５で、移動端末機１００が移動通信システム１１０、ＷＡＰサーバー１２０及び通信ネットワーク１３０を介して基地局管理サーバー１５０にアクセスすれば、上記基地局管理サーバー１５０は、交換機へのアクセス権限データの有無に対応するウェブページを上記移動端末機１００に伝送する。その一例として、図７は、上記移動端末機１００が交換機制御権限を持っている場合、移動端末機１００にディスプレーされたウェブページを示している。移動端末機１００が交換機制御権限を持っている場合、上記ウェブページにディスプレーされた無線インターネットサービスメニューには“１．ＢＳＭ／通話品質管理”の項目がさらに追加されている。
【００２１】
段階Ｓ２１０で上記移動端末機１００が上記無線インターネットサービスメニューの“１．ＢＳＭ／通話品質管理”の項目を選択する場合、上記基地局管理サーバー１５０は上記移動端末機１００が無線管理システムメニューを要求するものと認識し、上記無線管理システムメニューを上記移動端末機１００に伝送する。上記無線管理システムメニューは、“基地局でサーチ”及び“ゼロコール”の項目を含む。上記“基地局でサーチ”の項目は、“基地局名でサーチ”及び“交換機でサーチ”の項目を含む。図８を参照すれば、移動端末機のディスプレー部にディスプレーされた無線管理システムメニューから“基地局名でサーチ”又は“交換機でサーチ”を選択する場合、移動端末機は管理サーバーより基地局リストを伝送されることができる。
【００２２】
段階Ｓ２１５で上記基地局管理サーバー１５０は、上記移動端末機１００が上記無線管理システムメニューから選択した項目が“ゼロコール”であるか否かを判断する。上記判断の結果、上記選択された項目が“ゼロコール”であれば、上記基地局管理サーバー１５０は上記移動端末機１００に時間単位メニューを提供する（Ｓ２２０）。上記時間単位メニューは“１０分単位”、“３０分単位”、又は“１時間単位”などの項目を含む。
【００２３】
上記移動端末機１００のユーザーが所望の時間単位を選択した場合、上記ＷＡＰサーバー１２０は、通信ネットワークに連結されている基地局管理サーバー１５０に対し、上記選択された時間単位当りのゼロコールに関する基地局データを要請する。上記選択された時間単位当りのゼロコールに関する基地局データの要請を受けた基地局管理サーバー１５０は、連動するデータベース１６０から上記ゼロコールに関する基地局データを読み出し、ＷＡＰサーバーを介して上記移動端末機１００に伝送する（Ｓ２２５）。
【００２４】
図９は、上記ゼロコールに関する基地局データの一実施例を示している。上記ゼロコール（Zero Call）とは、障害が検出されなかった基地局のサブセル（Sub Cell）で逆方向の呼が発生していない状態を意味する。上記基地局管理サーバー１５０は、検索されたゼロコール発生基地局／交換機の情報、及び時間情報に基づき、上記ゼロコールに関するデータを生成し、上記データベース１６０に保存する。上記逆方向の呼は、移動端末機から基地局に送信される呼をいう。上記サブセルとは、所定の周波数が割り当てられた基地局のセクターのことを意味する。
【００２５】
上記段階Ｓ２１５での判断の結果、上記移動端末機１００のユーザーによって選択された項目が“ゼロコール”でない場合、上記基地局管理サーバー１５０は上記移動端末機１００のユーザーによって選択された項目が“基地局名でサーチ”であるか否かを判断する（Ｓ２３０）。上記選択された項目が“基地局名でサーチ”でない場合、選択された項目は“交換機でサーチ”となる。
【００２６】
上記段階Ｓ２５０で、上記移動端末機１００が交換機へのアクセス権限を持っている場合、上記基地局管理サーバー１５０は交換機へのアクセス権限データに基づいて、上記移動端末機１００の交換機制御権限が許容する交換機リストの含まれたウェブページを上記移動端末機１００に伝送する。図２５を参照して、例えば、上記移動端末機１００の電話番号が０１１−８８８−ｘｘｘｘの場合、上記基地局管理サーバー１５０は、交換機Ｍ１及びＭ２の含まれた交換機リストを上記移動端末機１００に伝送する。上記交換機リストの含まれたウェブページの一例は、図１０に示されている。
【００２７】
段階Ｓ２５５で、伝送されてきた上記交換機リストのうち一つ、例えばＭ１を上記移動端末機１００のキー又はボタンを利用して選択した場合、上記基地局管理サーバー１５０は、選択された交換機に対応する基地局制御機（ＢＳＣ）のリストを上記移動端末機１００に伝送する（図１１参照）。
【００２８】
段階Ｓ２６０で、伝送されてきた上記基地局制御機のリストのうち一つ、例えば図１１に示されたウェブページから“４．ＢＳＣ ３”を選択すれば、図１２に示されたように、第３基地局制御機が管轄する基地局リストのうち少なくても一つがディスプレーされる。段階Ｓ２６０を行なった後、処理ルーチンは段階Ｓ３１５に進行する。
【００２９】
しかし、上記段階Ｓ２３０での判断の結果、選択された項目が“基地局名でサーチ”である場合、上記基地局管理サーバー１５０は基地局名の一部又は全部の入力が可能なウェブページを上記移動端末機１００に伝送する（Ｓ３００）。
【００３０】
上記ウェブページに所望の基地局名の一部又は全部を入力し、上記ウェブページを上記基地局管理サーバー１５０に伝送した場合、上記基地局管理サーバー１５０は上記基地局名の一部が含まれた少なくとも一つの基地局リスト又は上記基地局名の全部が含まれた基地局リストを上記移動端末機１００に提供する（Ｓ３０５、Ｓ３１０）。一実施例として、基地局名の一部、即ち“南”を入力し上記基地局管理サーバー１５０に伝送した場合、上記基地局管理サーバー１５０は、図１３に示されたように、基地局名に“南”が含まれた少なくとも一つの基地局リストを上記移動端末機１００に伝送する。
【００３１】
上記移動端末機１００が、上記提供された少なくとも一つの基地局リストから一つの基地局、例えば番号１の“１．Ｍ１ ０５ 南山”を選択する（Ｓ３１５）。
【００３２】
上記移動端末機１００が一つの基地局を選択した場合、上記管理サーバー１５０は、上記交換機へのアクセス権限データに基づいて上記移動端末機１００の有する交換機へのアクセス権限の等級を照会する（Ｓ３１７）。従って、上記基地局管理サーバー１５０は、上記段階Ｓ３１７での照会の結果に応じて、差等を設けた基地局管理メニューを上記移動端末機１００に伝送する（Ｓ３２０）。上記交換機へのアクセス権限の等級は、図２４に示されたように、基地局データの照会及び変更が可能な第１等級、及び基地局データの照会だけが可能で変更は出来ない第２等級を含む。図１４は、上記移動端末機１００の交換機へのアクセス権限等級が第１等級の場合における上記移動端末機１００に伝送された基地局管理メニューを示したものであり、上記基地局管理メニューは、通話品質、アラーム、ブロック／アンブロック、パラメーター、及び中継器データを含む。また、交換機へのアクセス権限等級が第２等級である、照会だけが可能な移動端末機１００に提供される基地局管理メニューの項目は、“通話品質”及び“アラーム”である。しかし、照会及び変更可能な項目は、管理者によって随時変更が可能である。
【００３３】
上記基地局管理サーバー１５０は、上記段階Ｓ３２０で提供された基地局管理メニューに関するウェブページから、上記移動端末機１００によって選択された項目が“通話品質”であるか否かを判断する（Ｓ３２５）。
【００３４】
上記段階Ｓ３２５での判断の結果、選択された項目が“通話品質”である場合、上記基地局管理サーバー１５０は、移動通信システム１１０を介して、時間別の通話品質統計メニューを上記移動端末機１００に伝送する（Ｓ３３０）。
【００３５】
上記移動端末機１００が時間別の通話品質統計メニューから所望の時間項目を選択した場合、上記基地局管理サーバー１５０は上記データベース１６０に保存された上記基地局管理データから該当時間別の通話品質データを読み出し、上記移動端末機１００に提供する（Ｓ３３５、Ｓ３４０）。例えば、図１５に示すようなウェブページがディスプレーされた移動端末機１００の所定のボタンによって“２．１時間統計”の項目を選択すれば、上記管理サーバー１５０は、図１６に示すようなウェブページを上記移動端末機１００に伝送する。図１６は、南山基地局で１１月３０日午後７時から午後８時までの１時間の間に発生した統計データを見せてくれるウェブページである。図１６を参照すれば、該当時間別の通話品質に関する統計データは、該当時間周期の間における総合データ１６１、該当周期におけるセクター別のデータ１６３、及び該当周期における周波数割当別のデータ１６５を含む。各データの参照番号１６１乃至１６５は、それぞれ通話の疎通確率、通話の切断確率、及び通話をトライした総回数に対するデータを含む。
【００３６】
上記段階Ｓ３２５での判断の結果、移動端末機１００によって選択された項目が“通話品質”でない場合、上記基地局管理サーバー１５０は移動端末機１００によって選択された項目がアラームであるか否かを判断する（Ｓ３５０）。
【００３７】
上記段階Ｓ３５０での判断の結果、移動端末機１００によって選択された項目が“アラーム”である場合、上記基地局管理サーバー１５０は図１７に示されたような、該当基地局のアラーム情報を上記データベース１６０から読み出し、移動通信システム１１０を介して上記移動端末機１００に伝送する（Ｓ３５５）。上記アラーム情報は、基地局の障害を表すデータである。
【００３８】
図４を参照すれば、上記段階Ｓ３５０での判断の結果、移動端末機１００によって選択された項目が“アラーム”でない場合、上記基地局管理サーバー１５０は移動端末機１００によって選択された項目が“ブロック／アンブロック（Block／Unblock）”であるか否かを判断する（Ｓ４００）。上記段階Ｓ４００での判断の結果、移動端末機１００によって選択された項目が“ブロック／アンブロック”でない場合、段階Ｓ６００を行なう。
【００３９】
上記段階Ｓ４００での判断の結果、移動端末機１００によって選択された項目が“ブロック／アンブロック”である場合、上記基地局管理サーバー１５０はブロック／アンブロックリストが含まれたウェブページを移動端末機１００に伝送する（Ｓ４０５）。図１８を参照すれば、上記ブロック／アンブロックリストは、チャンネルカードのブロック／アンブロック（１．ＢＬＫ−ＣＣ／２．ＵＮＢＬＫ−ＣＣ）、共通インターフェースプロセスのブロック／アンブロック（３．ＢＬＫ−ＣＩＰ／４．ＵＮＢＬＫ−ＣＩＰ）、及び周波数割当（ＦＡ；Frequency Allocation）のブロック／アンブロック（５．ＢＬＫ−ＦＡ／６．ＵＮＢＬＫ−ＦＡ）を含む。
【００４０】
図２６ａ及び図２６ｂは、ブロック／アンブロックを説明するための図である。図２６ａを参照すれば、セクターα、β、及びγは、基地局の管轄空間を三つのセクターに分けたものである。付言すれば、基地局が三つのセクターのための個別アンテナを有する。各セクターに割り当てられた周波数は８個であるが、周波数割当の個数は変動可能である。各セクターと割り当てられた周波数番号との交差点を、共通インターフェースプロセス（ＣＩＰ；Common Interface Process）と定義する。上記共通インターフェースプロセス（以下、「ＣＩＰ」という）は、多数個のチャンネルカード（Channel Card、以下、「ＣＣ」という）を含む。
【００４１】
上記基地局管理サーバー１５０は、上記移動端末機１００が上記ブロック／アンブロックメニューから“ＣＣのブロック”の項目を選択したか否かを判断する（Ｓ４１０）。上記段階Ｓ４１０での判断の結果、移動端末機１００によって上記“ＣＣのブロック”の項目が選択された場合、上記基地局管理サーバー１５０は、上記移動端末機１００によって上記“ＣＣのブロック”の項目に対応する情報、即ち、移動端末機１００のユーザーがブロックを希望するＣＩＰ番号及びＣＣ番号の入力を要求するウェブページを伝送する（Ｓ４１５）。上記移動端末機１００は、上記基地局管理サーバー１５０からの上記ＣＩＰ番号及びＣＣ番号の入力要求に応じて、ブロックを希望するＣＩＰ番号及びＣＣ番号を入力する（Ｓ４２０）。上記移動端末機１００からＣＩＰ番号及びＣＣ番号を受信した基地局管理サーバー１５０は、入力されたＣＩＰのＣＣ番号に対応する部分をブロックし、その結果を上記移動端末機１００に伝送する（Ｓ４２５）。
【００４２】
図１９を参照すれば、第２ＣＩＰの第２ＣＣ、即ち“ＣＣ２”をブロックしようとする場合、上記移動端末機１００は、ウェブページ上の“ＣＩＰ Ｎｏ．”に数字“２”を、そして“ＣＣ Ｎｏ．”に数字“２”をそれぞれ入力する。上記ＣＩＰ番号（ＣＩＰ Ｎｏ．）及びＣＣ番号（ＣＣ Ｎｏ．）をそれぞれ入力し上記基地局管理サーバーに伝送すれば、第２ＣＩＰの第２ＣＣがブロック化される。従って、図２６ｂに示されたように、既にブロック化されている第０番及び第３番とともに第２番もブロック化される。
【００４３】
上記段階Ｓ４１０での判断の結果、上記“ＣＣのブロック”の項目が選択されていない場合、上記基地局管理サーバー１５０は上記移動端末機１００によって“ＣＩＰのブロック”の項目が選択されたか否かを判断する（Ｓ４３０）。
【００４４】
上記段階Ｓ４３０での判断の結果、移動端末機１００によって選択された項目が“ＣＩＰのブロック”である場合、上記基地局管理サーバー１５０は、上記移動端末機１００によって上記“ＣＩＰのブロック”の項目に対応する情報、即ち、移動端末機１００のユーザーがブロックを希望するＣＩＰ番号の入力を要求するウェブページを伝送する（Ｓ４３５）。
【００４５】
上記移動端末機１００は、上記基地局管理サーバー１５０からの上記ＣＩＰ番号の入力要求に応じて、ブロックを希望するＣＩＰの番号を入力した後、上記基地局管理サーバーに伝送する（Ｓ４４０）。上記移動端末機１００からＣＩＰ番号を受信した基地局管理サーバー１５０は上記ＣＩＰ番号に対応する部分をブロックし、その結果を上記移動端末機１００に伝送する（Ｓ４４５）。図２０を参照すれば、第２ＣＩＰ、即ち、ＣＩＰ２をブロック化しようとする場合、上記移動端末機１００は、ＣＩＰ番号の入力を要求するウェブページに数字“２”を入力する。数字を入力した後、管理サーバーに上記ウェブページを伝送する場合、上記ＣＩＰ番号に該当する部分をブロックする。
【００４６】
上記段階Ｓ４３０での判断の結果、移動端末機１００によって選択された項目が“ＣＩＰのブロック”でない場合、移動端末機１００によって選択された項目が“周波数割当のブロック”であるか否かを判断する（Ｓ４５０）。
【００４７】
上記段階Ｓ４５０での判断の結果、移動端末機１００によって選択された項目が“周波数割当のブロック”でない場合、図５の段階Ｓ５００を行なう。しかし、選択された項目が“周波数割当のブロック”である場合、上記基地局管理サーバー１５０は上記移動端末機１００に、図２１のような上記“周波数割当のブロック”の項目に対応する情報、即ち、周波数割当番号の入力を要求するウェブページを伝送する（Ｓ４５５）。上記移動端末機１００は、上記基地局管理サーバー１５０の周波数割当番号の入力要求に応じて、ブロックを希望する周波数割当番号を上記ウェブページに入力した後、上記基地局管理サーバーに伝送する（Ｓ４６０）。上記移動端末機１００から周波数割当番号を受信した基地局管理サーバー１５０は、上記周波数割当番号に対応する部分をブロックし、その結果を上記移動端末機１００に伝送する（Ｓ４６５）。図２６ａを参照すれば、周波数割当の第１番、即ち、第１ＦＡをブロックする場合、第１ＣＩＰ、第３ＣＩＰ、及び第５ＣＩＰが全てブロックされる。
【００４８】
図５を参照すれば、上記段階Ｓ４５０での判断の結果、選択された項目が“周波数割当のブロック”でない場合、上記基地局管理サーバー１５０は、上記移動端末機１００によって上記ブロック／アンブロックメニューから“ＣＣのアンブロック”の項目が選択されたか否かを判断する（Ｓ５００）。後述されるＣＣ、ＣＩＰ、及び周波数割当のブロック解除方法は、ブロック設定方法と同様であるが、これに限定されるものではない。
【００４９】
上記段階Ｓ５００での判断の結果、移動端末機１００によって上記“ＣＣのアンブロック”の項目が選択された場合、上記基地局管理サーバー１５０は上記移動端末機１００に、上記“ＣＣのアンブロック”の項目に対応する情報、即ち、移動端末機１００のユーザーがブロック解除を希望するＣＩＰ番号及びＣＣ番号の入力を要求するウェブページを伝送する（Ｓ５１０）。上記移動端末機１００は上記基地局管理サーバー１５０からの上記ＣＩＰ番号及びＣＣ番号の入力要求に応じて、ブロック解除を希望するＣＩＰ番号及びＣＣ番号を入力した後、上記基地局管理サーバーに伝送する（Ｓ５１５）。
【００５０】
上記移動端末機１００からＣＩＰ番号及びＣＣ番号を受信した基地局管理サーバー１５０は、入力番号に対応するＣＩＰに属する選択された番号のＣＣに対応する部分をブロック解除し、その結果を上記移動端末機１００に伝送する（Ｓ５２０）。
【００５１】
上記段階Ｓ５００での判断の結果、移動端末機１００によって上記“ＣＣのアンブロック”の項目が選択されていない場合、上記基地局管理サーバー１５０は上記移動端末機１００によって“ＣＩＰのアンブロック(ＵＮＢＬＫ−ＣＩＰ)”の項目が選択されたか否かを判断する（Ｓ５３０）。
【００５２】
上記段階Ｓ５３０での判断の結果、移動端末機１００によって選択された項目が“ＣＩＰのアンブロック”である場合、上記基地局管理サーバー１５０は、上記移動端末機１００に上記“ＣＩＰのアンブロック”の項目に対応する情報、即ち、移動端末機１００のユーザーがブロック解除を希望するＣＩＰ番号の入力を要求するウェブページを伝送する（Ｓ５３５）。上記移動端末機１００は上記基地局管理サーバー１５０からの上記ＣＩＰ番号の入力要求に応じて、ブロック解除を希望するＣＩＰの番号を入力した後、上記基地局管理サーバーに伝送する（Ｓ５４０）。上記移動端末機１００からＣＩＰの番号を受信した基地局管理サーバー１５０は上記ＣＩＰの番号に対応する部分をブロック解除し、その結果を上記移動端末機１００に伝送する（Ｓ５４５）。
【００５３】
上記段階Ｓ５３０での判断の結果、移動端末機１００によって選択された項目が“ＣＩＰのアンブロック”でない場合、移動端末機１００によって選択された項目が、上記ブロック／アンブロックメニューのうち“周波数割当のアンブロック（ＵＮＢＬＫ−ＦＡ）”であるか否かを判断する（Ｓ５５０）。
【００５４】
上記段階Ｓ５５０での判断の結果、移動端末機１００によって選択された項目が“周波数割当のアンブロック”でない場合、終了する。しかし、移動端末機１００によって選択された項目が“周波数割当のアンブロック”である場合、上記基地局管理サーバー１５０は上記移動端末機１００に、上記“周波数割当のアンブロック”の項目に対応する情報、即ち、周波数割当番号の入力を要求するウェブページを伝送する（Ｓ５５５）。上記移動端末機１００は上記基地局管理サーバー１５０の周波数割当番号の入力要求に応じて、ブロック解除を希望する周波数割当番号を入力した後、上記基地局管理サーバーに伝送する（Ｓ５６０）。
【００５５】
上記移動端末機１００から周波数割当番号を受信した基地局管理サーバー１５０は、上記周波数割当番号に対応する部分をブロック解除し、その結果を上記移動端末機１００に伝送する（Ｓ５６５）。
【００５６】
図６を参照すれば、上記段階Ｓ４００での判断の結果、選択された項目が“ブロック／アンブロック”でない場合、段階Ｓ３２０で伝送されたウェブページの基地局管理メニューから上記移動端末機１００によって選択された項目が“パラメーター”であるか否かを判断する（Ｓ６００）。
【００５７】
上記段階Ｓ６００での判断の結果、上記選択された項目が“パラメーター”である場合、上記基地局管理サーバー１５０は、上記移動端末機１００に“パラメーター”項目の下部項目がディスプレーされたウェブページを伝送する（Ｓ６０５）。上記“パラメーター”項目の下部項目は、基地局の出力、及び隣接した基地局のリストを含む。
【００５８】
上記移動端末機１００によって上記“パラメーター”項目の下部項目のうち“出力”が選択されれば、上記基地局管理サーバー１５０は上記移動端末機１００から基地局の出力に対する情報が要請されたことを認知し、上記移動端末機１００に基地局出力メニューの含まれたウェブページを伝送する（Ｓ６１０、Ｓ６１５）。上記基地局出力メニューは“照会”及び“変更”の項目を含む。
【００５９】
上記基地局管理サーバー１５０は、上記移動端末機１００によって選択された項目が“照会”である場合、図２２のようなα、β及びγセクター当りの基地局出力情報がディスプレーされたウェブページを上記移動端末機１００に伝送する（Ｓ６２０、Ｓ６２５）。
【００６０】
上記段階Ｓ６２０で、上記移動端末機１００によって選択された項目が“照会”でない場合、上記移動端末機１００によって選択された項目は“変更”となる（Ｓ６３０）。
【００６１】
上記基地局管理サーバー１５０は、上記移動端末機１００によって入力された選択項目が“変更”である場合、基地局の出力値を変更し得るウェブページ（図示せず）を移動端末機１００に伝送する（Ｓ６３５）。
【００６２】
上記段階Ｓ６１０で、上記基地局管理サーバー１５０は、上記パラメーターメニューのうち上記移動端末機１００によって選択された項目が“隣接した基地局のリスト”である場合、上記段階Ｓ６１５で伝送されたウェブページと同一の“照会”及び“変更”の項目が含まれたウェブページを移動端末機１００に伝送する（Ｓ６４０）。
【００６３】
上記段階Ｓ６４０で、上記基地局管理サーバー１５０は、上記移動端末機１００から入力された項目が“照会”である場合、隣接した基地局リストをウェブページに伝送し、移動端末機１００のディスプレー部にディスプレーされるようにする（Ｓ６４５、Ｓ６５０）。しかし、上記基地局管理サーバー１５０は、上記移動端末機１００から入力された項目が“変更”である場合、隣接した基地局のリストを変更し得るウェブページ（図示せず）を上記移動端末機１００に伝送する（Ｓ６５５、Ｓ６６０）。
【００６４】
上記段階Ｓ６００での判断の結果、上記選択された項目が“パラメーター”でない場合は、上記段階Ｓ３２０で提供されたウェブページの基地局管理メニューから“中継器データ”が上記移動端末機１００によって選択された場合である（Ｓ６６５）。
【００６５】
上記基地局管理サーバー１５０は、上記移動端末機１００によって“中継器データ”の項目が選択されれば、中継器データメニューがディスプレーされたウェブページを上記移動端末機１００に伝送する（Ｓ６７０）。上記中継器データメニューには、“中継器状態の照会”及び“中継器テスト”の項目が含まれている。
【００６６】
上記基地局管理サーバー１５０は、移動端末機１００によって中継器データメニューのうち“中継器状態の照会”の項目が選択された場合、上記移動端末機１００が照会可能な中継器の状態を含むウェブページを上記移動端末機１００に伝送する（Ｓ６７５、Ｓ６８０）。しかし、上記移動端末機１００によって上記  中継器データメニューのうち“中継器テスト”の項目が選択された場合、上記基地局管理サーバー１５０は、上記移動端末機１００によって上記中継器をテストし得る、テスト用のウェブページを上記移動端末機１００に伝送する（Ｓ６８５、Ｓ６９０）。
【００６７】
〔産業上の利用可能性〕
以上、詳述したように、本発明の基地局データの制御方法によれば、作業者又は管理者が通話品質、アラーム、ブロック／アンブロック、パラメーター、又は中継器データのような基地局管理データを照会及び／又は変更するために、全国に散在している基地局又は移動交換局を管理する基地局管理サーバーの位置場所まで移動する必要がなくなるので、作業上及び管理上の便利性が向上され、より迅速に基地局管理データを照会することができ、顧客に対してより高品質のサービスを提供することができる。
【００６８】
また、本発明によれば、各ユーザーの権限等級によって相異なるメニューを提供することによって、保安が要求される特定の情報が提供者の意図とは関係なく漏洩されてしまうことを防止でき、保安をより強化することができる。
【図面の簡単な説明】
【００６９】
【図１】本発明の一実施例による方法が適用された基地局データ制御システムを示したブロック図である。
【図２】図２は、本発明の望ましい実施例による基地局データの制御方法を説明するフローチャートである。
【図３】図３は、本発明の望ましい実施例による基地局データの制御方法を説明するフローチャートである。
【図４】図４は、本発明の望ましい実施例による基地局データの制御方法を説明するフローチャートである。
【図５】図５は、本発明の望ましい実施例による基地局データの制御方法を説明するフローチャートである。
【図６】図６は、本発明の望ましい実施例による基地局データの制御方法を説明するフローチャートである。
【図７】図７は、図２乃至図６に示された基地局データの制御方法を説明するための図である。
【図８】図８は、図２乃至図６に示された基地局データの制御方法を説明するための図である。
【図９】図９は、図２乃至図６に示された基地局データの制御方法を説明するための図である。
【図１０】図１０は、図２乃至図６に示された基地局データの制御方法を説明するための図である。
【図１１】図１１は、図２乃至図６に示された基地局データの制御方法を説明するための図である。
【図１２】図１２は、図２乃至図６に示された基地局データの制御方法を説明するための図である。
【図１３】図１３は、図２乃至図６に示された基地局データの制御方法を説明するための図である。
【図１４】図１４は、図２乃至図６に示された基地局データの制御方法を説明するための図である。
【図１５】図１５は、図２乃至図６に示された基地局データの制御方法を説明するための図である。
【図１６】図１６は、図２乃至図６に示された基地局データの制御方法を説明するための図である。
【図１７】図１７は、図２乃至図６に示された基地局データの制御方法を説明するための図である。
【図１８】図１８は、図２乃至図６に示された基地局データの制御方法を説明するための図である。
【図１９】図１９は、図２乃至図６に示された基地局データの制御方法を説明するための図である。
【図２０】図２０は、図２乃至図６に示された基地局データの制御方法を説明するための図である。
【図２１】図２１は、図２乃至図６に示された基地局データの制御方法を説明するための図である。
【図２２】図２２は、図２乃至図６に示された基地局データの制御方法を説明するための図である。
【図２３】図２３は、本発明による基地局管理統計データの一例を示す図である。
【図２４】図２４は、本発明による呼詳細レコードの一例を示す図である。
【図２５】図２５は、本発明による交換機へのアクセス権限データの一例を示す図である。
【図２６Ａ】図２６Ａは、本発明によるチャンネルカード、共通インターフェースプロセス、及び周波数割当のブロック／アンブロックを説明するための図である。
【図２６Ｂ】図２６Ｂは、本発明によるチャンネルカード、共通インターフェースプロセス、及び周波数割当のブロック／アンブロックを説明するための図である。
【図１】
2005510986.tif 000003
【図２】
2005510986.tif 000004
【図３】
2005510986.tif 000005
【図４】
2005510986.tif 000006
【図５】
2005510986.tif 000007
【図６】
2005510986.tif 000008
【図７】
2005510986.tif 000009
【図８】
2005510986.tif 000010
【図９】
2005510986.tif 000011
【図１０】
2005510986.tif 000012
【図１１】
2005510986.tif 000013
【図１２】
2005510986.tif 000014
【図１３】
2005510986.tif 000015
【図１４】
2005510986.tif 000016
【図１５】
2005510986.tif 000017
【図１６】
2005510986.tif 000018
【図１７】
2005510986.tif 000019
【図１８】
2005510986.tif 000020
【図１９】
2005510986.tif 000021
【図２０】
2005510986.tif 000022
【図２１】
2005510986.tif 000023
【図２２】
2005510986.tif 000024
【図２３】
2005510986.tif 000025
【図２４】
2005510986.tif 000026
【図２５】
2005510986.tif 000027
【図２６Ａ】
2005510986.tif 000028
【図２６Ｂ】
2005510986.tif 000029
【国際調査報告】
2005510986.tif 000030
2005510986.tif 000031